(57)【要約】      （修正有）【課題】塗料容器を水平かつ安全に手から離してトタン屋根に置くことができるものとして、構造が簡単で、場所も取らず、使い勝手のよい塗料容器の屋根用保持具を提供する。【解決手段】底縁７を有する塗料容器１に支持脚２として使用するものであり、下端に磁石による接地体４をピポット的に設けた柱状の屈折するピポット連結金具３の該屈折箇所に塗料容器１の底縁７が嵌る溝５を形成し、この溝５から上方に塗料容器１の側面に沿う支持体９を支持脚下部１０と連続させて形成した。【選択図】図１
0003226014.tif 000002
【実用新案登録請求の範囲】
【請求項１】
底縁を有する塗料容器に支持脚として使用するものであり、下端に磁石による接地体をピポット的に設けた柱状の屈折する支持脚の該屈折箇所に塗料容器の底縁が嵌る溝を形成し、この溝から上方に塗料容器の側面に沿う支持体を支持脚下部と連続させて形成したことを特徴とする塗料容器の屋根用保持具。
【請求項２】
支持体は塗料容器の側面に両面接着テープで固定する請求項１記載の塗料容器の屋根用保持具。
【考案の詳細な説明】
【技術分野】
【０００１】
本考案は、トタン屋根における塗装作業の際、塗料容器を水平かつ安全に置くための塗料容器の屋根用保持具に関するものである。
【背景技術】
【０００２】
傾斜するトタン屋根の塗装で、一般的な塗料容器を使用してのロ一ラー式塗装用具で塗装作業をする場合、塗料容器自体が滑りやすいため、片手で塗料容器を保持し、もう一方の手で塗装作業を行わなければならず、作業が容易ではないとともに、塗料容器を滑落させた場合には危険であるという問題があった。
【０００３】
このような問題を解消するため、下記特許文献１では塗料バケツは、バケツ本体の底を傾斜させ、かつ、上面を該傾斜に合わせて傾斜させるとともに、下面を水平に形成した脚体を設け、この脚体をバケツ本体の底に回動自在に装着する構成を採用している。
【特許文献１】実公昭６２−２９２８０号公報
【０００４】
そして、脚体を１８０度回動させることにより、下面を屋根等の傾斜面の勾配に適合させ、屋根等の上に直接載置可能としている。
【０００５】
また、下記特許文献２では、塗料容器は、側面より見て前後壁が下方ほど狭くなるホッパー状の斜壁に形成したペンキ容器の左右前後に４本の自由座付脚杆を付設し、この４本の脚杆の内前後２本の脚杆を伸縮自在とし、屋根等の上に直接載置可能としている。
【特許文献２】実開昭６１−９１３７４号公報
【０００６】
さらに、下記特許文献３では、容器用台座は、傾斜した場所においても滑落させることなく安定して容器を保持するため、容器を載置したり、容器の底部への取付け及び取外しを自在とした固定手段を有し、下面に複数の小突起を配列した構成としている。
【特許文献３】実用新案登録第３０４５３０４号公報
【０００７】
また、下記特許文献４は、塗料容器であって、塗料を収容する容器本体と、水平方向に延設された接地部を有するスライド脚部と、前記容器本体に固定され、前記スライド脚部を上下方向にスライド可能に案内する案内手段と、前記容器本体に対して前記スライド脚部を上下方向にスライド可能に保持する保持手段とで構成されるものである。
【特許文献４】実用新案登録第３０７３８０５号公報
【０００８】
スライド脚部を上下方向にスライド可能に保持する保持手段はつまみと固定板等で構成される。
【考案の概要】
【考案が解決しようとする課題】
【０００９】
前記特許文献１の塗料バケツにおいては、脚体を１８０度回動させて下面を屋根等の傾斜面の勾配に適合させているが、脚体を回動させながら屋根等の傾斜面の勾配に適合させる作業を必ずしも容易に行うことができず、使い勝手が良いとはいえないという問題があった。
【００１０】
また、前記特許文献２の塗料容器においては、４本の脚杆の内２本の脚杆を伸縮させて屋根等の傾斜面の勾配に適合させるため、調整すべき箇所が２箇所存在し、やはり２本の脚杆の長さを調整しながら屋根等の傾斜面の勾配に適合させる作業を必ずしも容易に行うことができず、使い勝手が良いとはいえなかった。
【００１１】
さらに、前記特許文献３の容器用台座は、容器と別体となっているため、別々に保管しなければならないとともに、屋根等の傾斜面の勾配の程度に応じて載置される容器の水平度を調節することができず、単一の塗料容器では、種々の傾斜角度に対応することができないという問題があった。
【００１２】
さらに、容器用台座の側部の少なくとも一カ所にロープ等を結びつけるための掛部Ａを有することや、容器用台座の相対峙する両側辺の所定箇所にそれぞれ設けられた掛部Ｂと、該掛部Ｂ間にロープ等を渡すことにより吊り下げ可能とするなど、ロープ等の使用が不可欠なものであり、手間がかかる。
【００１３】
前記特許文献４の塗料容器はスライド脚部を上下方向にスライド可能に保持する保持手段はつまみと固定板とを必要とし、構造が複雑である。
【００１４】
本考案の目的は前記従来例の不都合を解消し、塗料容器を水平かつ安全に手から離してトタン屋根に置くことができものとして、構造が簡単で、場所も取らず、使い勝手のよい塗料容器の屋根用保持具を提供することにある。
【課題を解決するための手段】
【００１５】
前記目的を達成するため請求項１記載の本考案は、底縁を有する塗料容器に支持脚として使用するものであり、下端に磁石による接地体をピポット的に設けた柱状の屈折する支持脚の該屈折箇所に塗料容器の底縁が嵌る溝を形成し、この溝から上方に塗料容器の側面に沿う支持体を支持脚下部と連続させて形成したことを要旨とするものである。
【００１６】
請求項１記載の本考案によれば、支持脚を底縁を有する塗料容器に取付けて傾斜するトタン屋根で使用するのに、塗料容器を水平に保持できるもので、支持脚は磁石による接地体で屋根に固定され、かつ、支持脚が屈折することで、塗料容器は水平なものとなる。また、支持脚の塗料容器の保持は片側のみでよく、溝に塗料容器の底縁を嵌めることで簡単に行うことができる。
【００１７】
トタン屋根での塗装作業において、磁力により容器が滑り落ちることもなく、両手が使えるため安全、かつ効率よく作業を行うことができる。
【００１８】
請求項２記載の本考案は、支持体は塗料容器の側面に両面接着テープで固定することを要旨とするものである。
【００１９】
請求項２記載の本考案によれば、支持体は塗料容器の側面に両面接着テープで固定することで、しっかりと塗料容器に支持脚を取り付けることができ、また、予め支持脚を塗料容器に取り付けて、支持脚付きの塗料容器として、これをトタン屋根に置くこともできる。
【考案の効果】
【００２０】
以上述べように本考案の塗料容器の屋根用保持具は、塗料容器を水平かつ安全に手から離してトタン屋根に置くことができものとして、構造が簡単で、場所も取らず、使い勝手のよいものである。
【００２１】
トタン屋根での塗装作業において、磁力により容器が滑り落ちることもなく、
両手が使えるため安全、かつ効率よく作業を行うことができる。
【図面の簡単な説明】
【００２２】
【図１】本考案の塗料容器の屋根用保持具の１実施形態を示す使用状態の斜視図である。
【図２】本考案の塗料容器の屋根用保持具の１実施形態を示す使用状態の側面図である。
【図３】本考案の塗料容器の屋根用保持具の１実施形態を示す使用状態の正面図である。
【考案を実施するための形態】
【００２３】
以下、図面について本考案の実施の形態を詳細に説明する。図１は本考案の塗料容器の屋根用保持具の１実施形態を示す使用状態の斜視図、図２は同上側面図、図３は同上正面図で、図中１は塗料容器、８はトタン屋根を示す。
【００２４】
塗料容器１は矩形桶状の容器で、材質は合成樹脂、金属、木製等特に問わないが、底部に底縁（回縁）７を有すものである。塗料容器１は提手１ａを備える。
【００２５】
本考案の屋根用保持具はかかる塗料容器１に取付けるものとして、扁平バー体による柱状のくの字に屈折する支持脚２であり、下端に磁石による接地体４をピポット的に設けた。図中３はピポット連結金具であり磁石の取り付け穴より、サイズの小さい止めビスや関節ネジなどが利用できる。ここでピポットとは３６０°いずれの方向にも自由に回動できる意味である。
【００２６】
支持脚２は屈折箇所で折れ曲がる面と反対側に前記塗料容器１の底縁７が嵌る溝５を棚状に幅方向に形成した。
【００２７】
支持脚２のこの溝５から上方に塗料容器１の側面に沿う支持体９を支持脚２の支持脚下部１０と連続させて形成した。
【００２８】
次に使用法について説明する。本発明の支持脚２は塗料容器１の片側面に間隔を存して一対取付けるもので、先に支持脚２を磁石による接地体４によりトタン屋根８上に立設し、溝５に底縁（回縁）７を嵌めて、塗料容器１を載置する。
【００２９】
支持脚２で支える塗料容器１の反対側は図２に示すように、底縁（回縁）７を直接トタン屋根８の上に置けばよい。
【００３０】
塗料容器１を支持脚２に載せた場合、支持体９は塗料容器１の側面に沿って塗料容器１を支えるが、支持体９は塗料容器１の側面に両面接着テープ６で固定すると動くことはない。
【００３１】
なお、他の使用例として塗料容器１に両面接着テープ６で固定して支持脚２を取付けておき、支持脚２付きの塗料容器１をトタン屋根８上に設置するようにしてもよい。
【００３２】
このようにして塗料容器１をトタン屋根８上に水平に設置してローラー塗装作業を行うが、磁石による接地体４は自在に動くため、角度の異なる斜面にも密着可能な構造になっている。
【００３３】
また、塗料容器１に取付ける支持脚２の相互間隔は底縁（回縁）７に沿って移動させることで自由に設定できる。
【符号の説明】
【００３４】
１…塗料容器
１ａ…提手
２…支持脚
３…ピポット連結金具
４…磁石による接地体
５…溝
６…両面テープ
７…底縁（回縁）
８…トタン屋根
９…支持体
１０…支持脚下部
【図１】
0003226014.tif 000003
【図２】
0003226014.tif 000004
【図３】
0003226014.tif 000005